(57)【要約】【課題】ホッパ内に収容された複数種類の肥料を、単肥として取り出すこと、混合して取り出すこと、及び、混合比率を任意に変更調節して取り出すこと、を自由に切り替えることができる装置を提供すること。【解決手段】内部を仕切り板２で左右２室に区分けして２種類の粉粒体を収納するホッパ３と、このホッパ３の仕切り板２で仕切られた位置に配置されていてホッパ３の底から上方外方へ粉粒体を取り出す取出し手段４とを有し、取出し手段４は、ホッパ３の底部から上部まで延設されていて下部左右両側に前記ホッパ３の左右２室に向けて開口しシャッタ５によって開閉可能とされた粉粒体導入口６を有する搬送ケース７と、この搬送ケース７内の上下に亘って設けられていて前記両側の粉粒体導入口６を通して搬送ケース７内に導入された前記ホッパ３の左右２室の粉粒体を搬送ケース７の下部から上方外方へ搬送するコンベア８と、該コンベア８を駆動するべく搬送ケース７の上部側に設置された駆動手段９とを有する。【選択図】図１
2005170664.tif 000002
【特許請求の範囲】
【請求項１】
内部を仕切り板で左右２室に区分けして２種類の粉粒体を収納するホッパと、このホッパの仕切り板で仕切られた位置に配置されていてホッパの底から上方外方へ粉粒体を取り出す取出し手段とを有しており、
前記取出し手段は、ホッパの底部から上部まで延設されていて下部左右両側に前記ホッパの左右２室に向けて開口しシャッタによって開閉可能とされた粉粒体導入口を有する搬送ケースと、この搬送ケース内の上下に亘って設けられていて前記両側の粉粒体導入口を通して搬送ケース内に導入された前記ホッパの左右２室の粉粒体を搬送ケースの下部から上方外方へ搬送するコンベアと、該コンベアを駆動するべく搬送ケースの上部側に設置された駆動手段とを有することを特徴とする粉粒体の搬出装置。
【請求項２】
内部を仕切り板で左右２室に区分けして２種類の粉粒体を収納するホッパと、このホッパの仕切り板で仕切られた位置に配置されていてホッパの底から上方外方へ粉粒体を取り出す取出し手段とを有しており、
前記取出し手段は、ホッパの底部から上部まで延設されていて下部左右両側に前記ホッパの左右２室に向けて開口しシャッタによって開閉可能とされた粉粒体導入口を有し内部を分割板によって左右２室に分割された搬送ケースと、この搬送ケースの左右２室内の上下に亘って設けられていて前記両側の粉粒体導入口を通して搬送ケース内に導入された前記ホッパの左右２室の粉粒体を搬送ケースの下部から上方外方へ搬送する左右のコンベアと、該左右のコンベアを同時に駆動するべく搬送ケースの上部側に設置された駆動手段とを有することを特徴とする粉粒体の搬出装置。
【請求項３】
前記ホッパーの仕切り板は、前記搬送ケースの前後面に密着配置してあることを特徴とする請求項１又は２に記載の粉粒体の搬出装置。
【請求項４】
前記シャッターは、開閉度合いを調整可能としてあることを特徴とする請求項１〜３の何れかに記載の粉粒体の搬出装置。
【発明の詳細な説明】
【技術分野】
【０００１】
本発明は、ホッパに収納された肥料等の粉粒体を施肥機等に搬出する粉粒体の搬出装置に関するものである。
【背景技術】
【０００２】
一般に、農家では、作物の種類、或いは、畑の土質等によって施肥量、肥質が夫々異なるため、適性肥料を二〜三種類から微量要素まで多種類混合して散布されている。
例えば、市販の化成肥料では高価であり、また、混合比率等が単一的であり、適性施肥が出来ないため、安価な単肥を複数種類購入してそれらを適宜混合することにより適性肥料として散布されている。
近年、施肥・播種機の普及に伴い施肥部に肥料を供給する装置が種々提供され、本出願人も混合機能を備えたものを既に提案している（特許文献１参照）。
【特許文献１】特開２００３−００２４２１号公報
【発明の開示】
【発明が解決しようとする課題】
【０００３】
上記特許文献１のものは、肥料の供給方向が自由に変更できる点や複数種類の肥料を混合することが出来る点等において従来装置を改善したものであるが、ホッパ内に収容された複数種類の肥料を、単肥として取り出すこと、混合して取り出すこと、及び、混合比率を任意に変更調節して取り出すこと、を自由に切り替えることができない点で更なる改善の余地が残されていた。
本発明は、上記特許文献１の利点を活かしつつホッパ内に収容された複数種類の肥料を、単肥として取り出すこと、混合して取り出すこと、及び、混合比率を任意に変更調節して取り出すこと、を自由に切り替えることができる装置を提供することを課題としている。
【課題を解決するための手段】
【０００４】
上記課題を解決するために、本発明は次の手段を講じたものである。
即ち、本発明は、内部を仕切り板で左右２室に区分けして２種類の粉粒体を収納するホッパと、このホッパの仕切り板で仕切られた位置に配置されていてホッパの底から上方外方へ粉粒体を取り出す取出し手段とを有しており、
前記取出し手段は、ホッパの底部から上部まで延設されていて下部左右両側に前記ホッパの左右２室に向けて開口しシャッタによって開閉可能とされた粉粒体導入口を有する搬送ケースと、この搬送ケース内の上下に亘って設けられていて前記両側の粉粒体導入口を通して搬送ケース内に導入された前記ホッパの左右２室の粉粒体を搬送ケースの下部から上方外方へ搬送するコンベアと、該コンベアを駆動するべく搬送ケースの上部側に設置された駆動手段とを有することを特徴としている。
【０００５】
また、本発明は、内部を仕切り板で左右２室に区分けして２種類の粉粒体を収納するホッパと、このホッパの仕切り板で仕切られた位置に配置されていてホッパの底から上方外方へ粉粒体を取り出す取出し手段とを有しており、
前記取出し手段は、ホッパの底部から上部まで延設されていて下部左右両側に前記ホッパの左右２室に向けて開口しシャッタによって開閉可能とされた粉粒体導入口を有し内部を分割板によって左右２室に分割された搬送ケースと、この搬送ケースの左右２室内の上下に亘って設けられていて前記両側の粉粒体導入口を通して搬送ケース内に導入された前記ホッパの左右２室の粉粒体を搬送ケースの下部から上方外方へ搬送する左右のコンベアと、該左右のコンベアを同時に駆動するべく搬送ケースの上部側に設置された駆動手段とを有することを特徴としている。
【０００６】
前記ホッパの仕切り板は、前記搬送ケースの前後面に密着配置してあることを特徴としている。
また、前記シャッタは、開閉度合いを調整可能としてあることを特徴としている。
【発明の効果】
【０００７】
本発明によれば、ホッパ内に収容された複数種類の肥料を、単肥として取り出すこと、混合して取り出すこと、及び、混合比率を任意に変更調節して取り出すこと、を自由に切り替えることができる装置を提供することができる。
【発明を実施するための最良の形態】
【０００８】
以下、本発明の装置の実施の形態を図面を参照して説明する。
図１乃至図４に示すように、本発明の実施形態に係る粉粒体の搬出装置１は、内部を仕切り板２で左右２室に区分けして２種類の粉粒体を収納するホッパ３と、このホッパ３の仕切り板２で仕切られた位置に配置されていてホッパ３の底から上方外方へ粉粒体を取り出す取出し手段４とを有している。
取出し手段４は、ホッパ３の底部から上部まで延設されていて下部左右両側に前記ホッパ３の左右２室に向けて開口しシャッタ５によって開閉可能とされた粉粒体導入口６を有する搬送ケース７と、この搬送ケース７内の上下に亘って設けられていて前記両側の粉粒体導入口６を通して搬送ケース７内に導入された前記ホッパ３の左右２室の粉粒体を搬送ケース７の下部から上方外方へ搬送するコンベア８と、該コンベア８を駆動するべく搬送ケース７の上部側に設置された駆動手段９とを有する。
【０００９】
上記ホッパ３は、上部が四角筒形状に形成され、下部が逆四角錐形の漏斗部に形成されている。
ホッパ３の上端部は、通常、開放状とされ、雨天時等には、カバー１０が着脱可能に装着される。
漏斗部の下端には、残量排出用シャッタ１１により開閉自在とされた残量排出口１２が形成されている。
上記ホッパ３は、架台１３にベアリングやローラ等よりなる旋回具１４を介してホッパ３の中心を通る縦軸線の回りで旋回可能に搭載支持されている。
【００１０】
架台１３は、前後左右の４本の脚部１５を枠体１６にて相互に連結した略矩形枠形態とされている。
この架台１３の下部にはフォークリフト爪挿入口１７が設けられ、また、上部周囲の複数個所に吊下げ用フック１８が設けられている。
また、所定の旋回位置で架台１３に対するホッパ３の位置決めをするため、ホッパ３と架台１３との間に位置決めピン１９が着脱自在に取付けられている。
図１においては、漏斗部の周囲に水平に設けたフランジ２０と架台１３との間に位置決めピン１９を着脱自在に取り付けるようにしている。
【００１１】
搬送ケース７は、角筒形状をなし、下部側がホッパ３の下部中央部に配設され、上部側がホッパ３から上方に突出し、さらにホッパ３の一側寄りに傾斜した起立状態でホッパ３内に取付フレーム３ａを介して取付けられている。
なお、本実施形態では、搬送ケース７の傾斜する方向を前側、その反対側を後側として説明する。
搬送ケース７の傾斜する前後方向に対して、仕切り板２は、ホッパ３内を左右方向に２等分に区分けするように設けられている。従って、仕切り板２は、搬送ケース７の前後面に密着配置されている。
【００１２】
搬送ケース７の下部の左右両側には、粉粒体導入口６が開口形成され、かつ、各粉粒体導入口６には、電動シリンダ等の駆動手段２１により個別に開閉可能とされたシャッタ５がそれぞれ設置されている。
粉粒体導入口６は、仕切り板２で左右２室に区分けされたホッパ３の各室に向けて開口するように搬送ケース７の下部の左右両側に形成されており、前記シャッタ５によって開閉される。
シャッタ５は、角筒形状をなす搬送ケース７の下部の左右両側の粉粒体導入口６を囲繞被覆し得るように平面視コ字形とされており、しかも、駆動手段２１により、粉粒体導入口６の開閉度合いを調整可能とされている。
【００１３】
コンベア８は、搬送ケース７内に収容されており、本実施形態では、搬送ケース７内の上下に亘って掛け渡された回送ベルト２２に一定ピッチでバケット２３を設けてなり、駆動手段９からチェーン伝動機構２４を介して動力が伝達され、矢印方向に回送運動するようになっている。この駆動手段９は、自動車に搭載されるバッテリ等によって駆動可能とされる電動モータが使用される。
そして、回送ベルト２２が回送運動することによってホッパ３内に収容された粉粒体を搬送ケース７の下部の一側又は両側の粉粒体導入口６からバケット２３にて掬い、上方へ搬送すると共に搬送ケース７の上端位置でシュート２５に投入するようになっている。
【００１４】
シュート２５は、略四角筒形状をなし、搬送ケース７の上端前面に接続されている。また、側面視において前斜め下方に指向し、やや下方先細り形状に形成されている。前記駆動手段９は、シュート２５の前面に設置されている。
シュート２５の下端には、排出管２６が接続されている。この排出管２６は、シュート２５の下端部に接続された蛇腹管よりなる可撓管部２７と、この可撓管部２７の下端に接続された直管部２８とを有し、該直管部２８はテレスコピック構造等によって長手方向に伸縮自在とされ、その下端部には前記シャッタ５の駆動手段２１の開閉制御スイッチ２９とコンベア８の駆動手段９の作動スイッチ３０が設けられている。なお、図１において、３１はスイッチコード、３２はバッテリーコードを示している。
【００１５】
シュート２５の左右両側面の下部側にはオーバーフロー開口３３が形成されており、このオーバーフロー開口３３にはオーバーフロー管３４がそれぞれ接続されている。
オーバーフロー管３４は、シュート２５から後下方に傾斜しつつ延伸し、その後端の排出口３５が、ホッパ３の平面略中央部近傍に至り、かつホッパ３内に配設されている。
オーバーフロー開口３３よりも下部のシュート２５の下端付近には、開閉自在なシャッタ３６が設けられており、このシャッタ３６を開くことによりシュート２５から排出管２６への肥料の流動が許容され、閉じることにより肥料の流動が規制されて排出管２６に侵入しないようになっている。
【００１６】
上記シャッタ３６は、シュート２５の外側から手動にて開閉する構成としてもよいし、電磁ソレノイド等の駆動手段を用いて自動で開閉する構成としてもよい。
ホッパ３内の下部には、図１に示すように、肥料の通過を許容する金網等の多孔部材により形成された荷重担持部材３７が設けられており、かかる荷重担持部材３７によってホッパ３内下部での肥料の圧縮を防止している。
即ち、ホッパ３内で大量の肥料が蓄積されるとその荷重によりホッパ３内下部の肥料が押し固められて肥料のブリッジ現象が生じたり、また押し固められた肥料によってコンベア８の駆動手段９に過大負荷がかかり、故障や回送ベルト２２のスリップ等を生じる恐れがあったが、上記荷重担持部材３７を設けることによって、ホッパ３の下部の肥料に圧縮力がかかることを軽減し、ブリッジ現象等の発生を防止している。
【００１７】
上記構成の搬出装置１は、図５に示す如く、トラック３８の荷台３９に搭載して施肥機４０が待機する圃場へと移動し、荷台３９に載せた状態のまま排出管２６の下端部を施肥機４０の肥料ホッパ４１へと向けるようにする。この際、ホッパ３は、架台１３に対して縦軸心回りに旋回可能としてあるため、搬送ケース７の前面が施肥機４０に正対するようにホッパ３を旋回させて位置決めピン１９で位置決めするものである。なお、施肥機４０が農道の両側の畑等に待機させてある場合では、搬送ケース７の前面がトラック３８の荷台３９の側面に向くようにホッパ３を旋回させて位置決めすればよい。
【００１８】
次に、コンベア８を作動することによってバケット２３でホッパ３内の肥料を掬い上げ、上方に搬送すると共に上端でシュート２５に投入させ、排出管２６から施肥機４０の任意の肥料ホッパ４１に肥料の自重で流動供給させるものである。
この場合、ホッパ３内は仕切り板２によって２室に区分けされており、これら２室に異種の肥料を投入しておくことができる。そして、搬送ケース７の下部の左右両側のシャッタ５を両方とも同じ開放度だけ開放させておけば、左右両側の粉粒体導入口６からホッパ３内の２種類の肥料が等量ずつ搬送ケース７内に導入されるので、これをバケット２３で掬い上げてシュート２５へ搬送投入させ、排出管２６から施肥機４０の肥料ホッパ４１へ排出させることができる。これによって、施肥機４０の肥料ホッパ４１には、２種類の肥料を等量ずつ混合したものを供給することが出来る。なお、左右両側のシャッタ５の開放度合いを１：２や１：３等の所望の比率に設定しておくことにより、２種類の肥料の混合比率を１：２や１：３等の所望の比率にして施肥機４０の肥料ホッパ４１に供給させることができる。
【００１９】
また、シュート２５の下部のシャッタ３６を閉じてコンベア８を作動させると、バケット２３で上方へ搬送されてシュート２５に投入された肥料は、オーバーフロー開口３３からオーバーフロー管３４へ流出し、自重でオーバーフロー管３４内を滑走して排出口３５からホッパ３の中央部へ排出（還流）される。これを継続すれば、ホッパ３内の２種類の肥料は次第に均一に混合される。
このように混合された肥料は、シュート２５の下部のシャッタ３６を開放することにより、排出管２６を通して施肥機４０に取出し供給させることができる。
【００２０】
また、３種類の肥料を混合するには、先ず、２種類の肥料をホッパ３の２室に別々に投入しておき、その上に３種類目の肥料を等量ずつ２室に投入し、シャッタ３６を閉じてコンベア８を作動させればよい。３種類以上の肥料を混合する場合も同様にすればよい。
なお、肥料の混合は、ホッパ３の１室側だけで行わせることも可能である。その場合には、搬送ケース７の一方のシャッタ５だけを開放させ、かつ、他方のオーバーフロー開口３３をシャッタ等で閉鎖させて一方のオーバーフロー管３４からホッパ３の１室内へ還流させることによって行えばよい。この場合では、オーバーフロー開口３３にもシャッタをそれぞれ開閉自在に設けておくものである。
【００２１】
図６は本発明の他の実施形態を示すもので、搬送ケース７内を分割板４２によって左右２室に分割し、各室内にコンベア８ａ、８ｂを設け、それらの回送ベルト２２ａ，２２ｂにバケット２３ａ、２３ｂを等ピッチで設置し、両コンベア８ａ、８ｂの駆動軸４３を１本の共通軸とし、その駆動軸４３を駆動手段９によりチェーン伝動機構２４を介して回転駆動させるようにしたものである。他の構成は、前記実施形態と同様である。なお、分割板４２は、ホッパ３内を区分けする仕切り板２と同一分割面上に配置されている。
この実施形態の場合では、ホッパ３内の２室の肥料を別々のコンベア８ａ，８ｂのバケット２３ａ，２３ｂで区分して搬送することができる。そのため、例えば、ホッパ３内の肥料を等量混合する場合には混合比率の精度が向上する。この場合も、搬送ケース７の左右両側のシャッタ５の開放度合いを調整することにより、粉粒体導入口６から搬送ケース７内に導入される肥料の量は調整される。
【００２２】
さて、本発明の実施形態は以上であるが、本発明は、上記実施形態に限ることなく特許請求の範囲内で適宜設計変更して実施することが可能である。
また、本発明が対象とする粉粒体は、肥料だけでなく土壌改良剤、消毒剤、その他の粉粒体であってもよく、被供給対象についても、施肥機４０に限定されるものではない。
【図面の簡単な説明】
【００２３】
【図１】本発明装置の第１実施形態の縦断側面図である。
【図２】第１実施形態の正面図である。
【図３】第１実施形態の要部概略斜視図である。
【図４】第１実施形態の動作説明用の概略縦断正面図である。
【図５】第１実施形態の使用状態例を示す概略斜視図である。
【図６】（Ａ）（Ｂ）は本発明装置の第２実施形態の概略正面図と側面図である。
【符号の説明】
【００２４】
１    粉粒体の搬出装置
２    仕切り板
３    ホッパ
４    取出し手段
５    シャッタ
６    粉粒体導入口
７    搬送ケース
８    コンベア
９    駆動手段
１３  架台
１４  旋回具
２１  駆動手段
２２  回送ベルト
２３  バケット
２５  シュート
２６  排出管
【図１】
2005170664.tif 000003
【図２】
2005170664.tif 000004
【図３】
2005170664.tif 000005
【図４】
2005170664.tif 000006
【図５】
2005170664.tif 000007
【図６】
2005170664.tif 000008